(57)【要約】  本開示のいくつかの態様は、概して、ワイヤレス通信のための１次チャネルを決定するための技法および装置に関する。いくつかの態様によれば、装置によるワイヤレス通信のための方法が提供される。本方法は、概して、１つまたは複数のパラメータを有する情報要素（ＩＥ）を取得することと、１つまたは複数のパラメータの関数として、ワイヤレス通信のために使用されるべき１次チャネルロケーションを計算することと、ここにおいて、関数は、装置が位置する地理的エリアに依存しない、を含む。
2016535497.tif 000002
【特許請求の範囲】
【請求項１】
ワイヤレス通信のための装置であって、
１つまたは複数のパラメータを有する情報要素（ＩＥ）を取得するための手段と、
前記装置による前記ワイヤレス通信のために使用されるべき１次チャネルロケーションを計算するための手段と、ここにおいて、前記計算は、前記１つまたは複数のパラメータと、前記装置が位置する地理的エリアに依存しない関数とに基づく、
を備える、装置。
【請求項２】
前記１つまたは複数のパラメータのうちの第１のパラメータに基づいて前記ワイヤレス通信のための開始周波数を決定するための手段と、
前記１つまたは複数のパラメータのうちの第２のパラメータに基づいて前記開始周波数に関するオフセットを決定するための手段と
をさらに備える、請求項１に記載の装置。
【請求項３】
前記開始周波数への前記第１のパラメータのマッピングを決定することによって、前記１つまたは複数のパラメータのうちの前記第１のパラメータに基づいて前記ワイヤレス通信のための前記開始周波数を決定するための手段
をさらに備える、請求項３に記載の装置。
【請求項４】
前記１つまたは複数のパラメータのうちの第３のパラメータに基づいてチャネル幅を決定するための手段
をさらに備える、請求項１に記載の装置。
【請求項５】
前記第２のパラメータはインデックスを備え、
前記オフセットを決定することは、前記インデックスと周波数定数とに基づいて前記オフセットを決定することを備える、
請求項２に記載の装置。
【請求項６】
前記１つまたは複数のパラメータは、
前記ＩＥの第１のフィールド中の１つまたは複数の動作クラスパラメータと、
前記ＩＥの第２のフィールド中のチャネル幅パラメータと、
前記ＩＥの第３のフィールド中のインデックスフィールドと
を備える、請求項１に記載の装置。
【請求項７】
前記第１の動作クラスパラメータの異なる値は、動作パラメータのセットのための値の異なる組合せにマッピングする、請求項６に記載の装置。
【請求項８】
前記動作パラメータのセットは、チャネル開始周波数、チャネル中心周波数インデックス、または前記装置の挙動に対する制限のうちの少なくとも２つを備える、請求項７に記載の装置。
【請求項９】
装置によるワイヤレス通信のための方法であって、
１つまたは複数のパラメータを有する情報要素（ＩＥ）を取得することと、
装置による前記ワイヤレス通信のために使用されるべき１次チャネルロケーションを計算することと、ここにおいて、前記計算は、前記１つまたは複数のパラメータと、前記装置が位置する地理的エリアに依存しない関数とに基づく、
を備える、方法。
【請求項１０】
前記１つまたは複数のパラメータのうちの第１のパラメータに基づいて前記ワイヤレス通信のための開始周波数を決定することと、
前記１つまたは複数のパラメータのうちの第２のパラメータに基づいて前記開始周波数に関するオフセットを決定することと
をさらに備える、請求項９に記載の方法。
【請求項１１】
前記開始周波数への前記第１のパラメータのマッピングを決定することによって、前記１つまたは複数のパラメータのうちの前記第１のパラメータに基づいて前記ワイヤレス通信のための前記開始周波数を決定すること
をさらに備える、請求項１０に記載の方法。
【請求項１２】
前記１つまたは複数のパラメータのうちの第３のパラメータに基づいてチャネル幅を決定すること
をさらに備える、請求項９に記載の方法。
【請求項１３】
前記第２のパラメータはインデックスを備え、
前記オフセットを決定することは、前記インデックスと周波数定数とに基づいて前記オフセットを決定することを備える、
請求項１０に記載の方法。
【請求項１４】
前記１つまたは複数のパラメータは、
前記ＩＥの第１のフィールド中の１つまたは複数の動作クラスパラメータと、
前記ＩＥの第２のフィールド中のチャネル幅パラメータと、
前記ＩＥの第３のフィールド中のインデックスフィールドと
を備える、請求項９に記載の方法。
【請求項１５】
前記第１の動作クラスパラメータの異なる値は、動作パラメータのセットのための値の異なる組合せにマッピングする、請求項１４に記載の方法。
【請求項１６】
前記動作パラメータのセットは、チャネル開始周波数、チャネル中心周波数インデックス、または前記装置の挙動に対する制限のうちの少なくとも２つを備える、請求項１５に記載の方法。
【請求項１７】
１つまたは複数のパラメータを有する情報要素（ＩＥ）を取得することと、
装置によるワイヤレス通信のために使用されるべき１次チャネルロケーションを計算することと、ここにおいて、前記計算は、前記１つまたは複数のパラメータと、前記装置が位置する地理的エリアに依存しない関数とに基づく、
を行うための命令を記憶したコンピュータ可読媒体を備えるコンピュータプログラム製品。
【請求項１８】
ワイヤレス通信のための局であって、
少なくとも１つのアンテナと、
前記少なくとも１つのアンテナを介して、１つまたは複数のパラメータを有する情報要素（ＩＥ）を受信するように構成された受信機と、
前記ワイヤレス通信のために使用されるべき１次チャネルロケーションを計算するように構成された処理システムと、ここにおいて、前記計算は、前記１つまたは複数のパラメータと、前記局が位置する地理的エリアに依存しない関数とに基づく、
を備える、局。
【発明の詳細な説明】
【技術分野】
【０００１】
関連出願の相互参照
[0001]本出願は、その全体が参照により本明細書に組み込まれる、２０１３年１１月７日に出願された米国仮特許出願第６１／９０１，４１６号の利益を主張する。
【０００２】
[0002]本開示のいくつかの態様は、一般にワイヤレス通信に関し、より詳細には、ワイヤレスネットワークにおける１次チャネル決定に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加した通信範囲に対する要望に対処するために、様々な方式が開発されている。１つのそのような方式は、電気電子技術者協会（ＩＥＥＥ）８０２．１１ａｈタスクフォースによって開発されている（たとえば、米国では９０２〜９２８ＭＨｚ範囲中で動作している）サブ１ＧＨｚ周波数範囲である。この開発は、他のＩＥＥＥ８０２．１１グループよりも大きいワイヤレス範囲を有し、より低い障害損失を有する周波数範囲を利用する要望によって推進される。
【発明の概要】
【０００５】
[0005]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本発明の特徴が、ワイヤレスネットワークにおけるアクセスポイントと局との間の改善された通信を含む利点をどのように提供するかが理解されよう。
【０００６】
[0006]本開示のいくつかの態様は、１次チャネル決定のための技法、対応する装置、およびプログラム製品を提供する。
【０００７】
[0007]本開示のいくつかの態様は、ワイヤレス通信のための装置を提供する。本装置は、概して、１つまたは複数のパラメータを有する情報要素（ＩＥ；information element）を取得するように構成されたインターフェースと、ワイヤレス通信のために使用されるべき１次チャネルロケーション（primary channel location）を計算するように構成された処理システムと、ここにおいて、計算は、１つまたは複数のパラメータと、本装置が位置する地理的エリアに依存しない関数とに基づく、を含む。
【０００８】
[0008]本開示のいくつかの態様は、ワイヤレス通信のための方法を提供する。本方法は、概して、１つまたは複数のパラメータを有するＩＥを取得することと、装置によるワイヤレス通信のために使用されるべき１次チャネルロケーションを計算することと、ここにおいて、計算は、１つまたは複数のパラメータと、装置が位置する地理的エリアに依存しない関数とに基づく、を含む。
【０００９】
[0009]本開示のいくつかの態様は、ワイヤレス通信のための装置を提供する。本装置は、概して、１つまたは複数のパラメータを有するＩＥを取得するための手段と、ワイヤレス通信のために使用されるべき１次チャネルロケーションを計算するための手段と、ここにおいて、計算は、１つまたは複数のパラメータと、本装置が位置する地理的エリアに依存しない関数とに基づく、を含む。
【００１０】
[0010]本開示のいくつかの態様は、ワイヤレス通信のための局を提供する。本局は、概して、少なくとも１つのアンテナと、少なくとも１つのアンテナを介して、１つまたは複数のパラメータを有するＩＥを取得することと、ワイヤレス通信のために使用されるべき１次チャネルロケーションを計算することと、ここにおいて、計算は、１つまたは複数のパラメータと、本局が位置する地理的エリアに依存しない関数とに基づく、を行うように構成されたプロセッサとを含む。
【００１１】
[0011]本開示のいくつかの態様は、ワイヤレス通信のためのコンピュータプログラム製品を提供する。本コンピュータプログラム製品は、概して、１つまたは複数のパラメータを有するＩＥを取得することと、ワイヤレス通信のために使用されるべき１次チャネルロケーションを計算することと、ここにおいて、計算は、１つまたは複数のパラメータと、装置が位置する地理的エリアに依存しない関数とに基づく、を行うための命令を記憶したコンピュータ可読媒体を含む。
【００１２】
[0012]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に示している。ただし、これらの特徴は、様々な態様の原理が採用され得る様々な方法のうちのほんのいくつかを示すものであり、この説明は、すべてのそのような態様およびそれらの均等物を含むものとする。
【００１３】
[0013]本開示の上述の特徴が詳細に理解され得るように、添付の図面にその一部が示されている態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１４】
【図１】[0014]本開示のいくつかの態様による、例示的なワイヤレス通信ネットワークの図。
【図２】[0015]本開示のいくつかの態様による、例示的なアクセスポイントおよびユーザ端末のブロック図。
【図３】[0016]本開示のいくつかの態様による、例示的なワイヤレスデバイスのブロック図。
【図４】[0017]本開示のいくつかの態様による、ワイヤレス通信のための例示的な動作のブロック図。
【図４Ａ】[0018]本開示のいくつかの態様による、図４に示された動作を実行することが可能な例示的な手段を示す図。
【図５】[0019]本開示のいくつかの態様による、例示的な情報要素を示す図。
【図６】本開示のいくつかの態様による、例示的な情報要素を示す図。
【図７】本開示のいくつかの態様による、例示的な情報要素を示す図。
【発明を実施するための形態】
【００１５】
[0020]理解を容易にするために、可能な場合、各図に共通である同じ要素を示すために同じ参照符号が使用されている。一実施形態で開示される要素は、別段の記載なしに他の実施形態に関して有益に利用され得ることが企図される。
【００１６】
[0021]本開示のいくつかの態様は、概して、ワイヤレスシステムにおける（たとえば、ＩＥＥＥ８０２．１１ａｈシステムにおける）１次チャネル決定のためのシステム、方法、およびデバイスに関する。いくつかの態様によれば、１次チャネルロケーションの計算のために使用され得るパラメータを含む情報要素（ＩＥ）を含む様々なシグナリングが定義され得る。シグナリングされたパラメータの使用は、地理的ロケーションに依存しない（たとえば、国要素（country element）の使用なしの）１次チャネルロケーションの計算を可能にする。
【００１７】
[0022]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載される本開示の様々な態様に加えてまたはそれら以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１８】
[0023]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかが例として、図においておよび好適な態様についての以下の説明において示される。発明を実施するための形態および図面は、本開示を限定するものではなく説明するものにすぎず、本開示の範囲は添付の特許請求の範囲およびそれの均等物によって定義される。
【００１９】
[0024]本明細書では、ワイヤレス通信の分野における一般に認識されている使用法に一致する、以下に記載される頭文字が使用されることがある。本明細書では、他の頭文字が使用されることもあり、以下のリストにおいて定義されていない場合は、本明細書で最初に出現する場所で定義される。
ＡＣＫ．．．．．．．．．．．確認応答
Ａ−ＭＰＤＵ．．．．．アグリゲート媒体アクセス制御プロトコルデータユニット（Aggregated Media Access Control Protocol Data Unit）
ＡＰ．．．．．．．．．．．．．アクセスポイント
ＢＡ．．．．．．．．．．．．．ブロックＡＣＫ
ＢＡＲ．．．．．．．．．．．ブロックＡＣＫ要求
ＣＲＣ．．．．．．．．．．．巡回冗長検査
ＤＩＦＳ．．．．．．．．．分散フレーム間スペース
ＥＯＦ．．．．．．．．．．．フレームの終了
ＥＩＦＳ．．．．．．．．．拡張フレーム間スペース
ＦＣＳ．．．．．．．．．．．フレーム検査シーケンス
ＩＤ．．．．．．．．．．．．．識別子
ＩＥＥＥ．．．．．．．．．電気電子技術者協会
ＬＴＦ．．．．．．．．．．．ロングトレーニングフィールド
ＭＡＣ．．．．．．．．．．．メディアアクセス制御
ＭＳＢ．．．．．．．．．．．最上位ビット
ＭＩＭＯ．．．．．．．．．多入力多出力
ＭＰＤＵ．．．．．．．．．ＭＡＣプロトコルデータユニット
ＭＵ．．．．．．．．．．．．．マルチユーザ
ＭＵ−ＭＩＭＯ．．．マルチユーザ多入力多出力
ＮＤＰ．．．．．．．．．．．ヌルデータパケット
ＯＦＤＭ．．．．．．．．．直交周波数分割変調
ＯＦＤＭＡ．．．．．．．直交周波数分割多元接続
ＰＨＹ．．．．．．．．．．．物理レイヤ
ＰＬＣＰ．．．．．．．．．物理レイヤコンバージェンスプロトコル
ＰＰＤＵ．．．．．．．．．ＰＬＣＰプロトコルデータユニット
ＰＳＤＵ．．．．．．．．．ＰＬＣＰサービスデータユニット
ＱｏＳ．．．．．．．．．．．サービス品質
ＲＤＧ．．．．．．．．．．．逆方向グラント
ＳＤＭＡ．．．．．．．．．空間分割多元接続
ＳＩＦＳ．．．．．．．．．ショートフレーム間スペース（Short Interframe Space）
ＳＩＧ．．．．．．．．．．．信号（たとえば、サブ１ＧＨｚ）
ＳＴＡ．．．．．．．．．．．局
ＳＴＢＣ．．．．．．．．．時空間ブロックコーディング
ＳＴＦ．．．．．．．．．．．ショートトレーニングフィールド
ＳＵ．．．．．．．．．．．．．シングルユーザ
ＴＣＰ．．．．．．．．．．．伝送制御プロトコル
ＶＨＴ．．．．．．．．．．．超高スループット
ＷＬＡＮ．．．．．．．．．ワイヤレスローカルエリアネットワーク
【００２０】
例示的なワイヤレス通信システム
[0025]本明細書で説明される技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２１】
[0026]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２２】
[0027]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２３】
[0028]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２４】
[0029]図１は、アクセスポイントとユーザ端末とを有する多元接続多入力多出力（ＭＩＭＯ）システム１００を示している。簡単のために、図１にはただ１つのアクセスポイント１１０が示されている。アクセスポイントは、概して、ユーザ端末と通信する固定局であり、基地局または何らかの他の用語で呼ばれることもある。ユーザ端末は、固定または移動であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００２５】
[0030]以下の開示の部分は、空間分割多元接続（ＳＤＭＡ）によって通信することが可能なユーザ端末１２０を説明しているが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２６】
[0031]ＭＩＭＯシステム１００は、ダウンリンクおよびアップリンク上でのデータ伝送のために複数の送信アンテナと複数の受信アンテナとを使用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが、何らかの手段によって、コード、周波数または時間において多重化されない場合、Ｎap≧Ｋ≧１が成り立つことが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、ユーザ固有のデータをアクセスポイントに送信し、および／またはアクセスポイントからユーザ固有のデータを受信する。概して、各選択されたユーザ端末は１つまたは複数のアンテナを装備し得る（すなわち、Ｎut≧１）。Ｋ個の選択されたユーザ端末は、同じまたは異なる数のアンテナを有することができる。
【００２７】
[0032]ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。ＭＩＭＯシステム１００はまた、送信／受信を異なるタイムスロットに分割することによってユーザ端末１２０が同じ周波数チャネルを共有する場合、ＴＤＭＡシステムであり得、各タイムスロットは異なるユーザ端末１２０に割り当てられる。
【００２８】
[0033]図２は、ＭＩＭＯシステム１００におけるアクセスポイント１１０と２つのユーザ端末１２０ｍおよび１２０ｘとのブロック図を示している。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上の同時送信のために選択され、Ｎupは、Ｎdnに等しいことも等しくないこともあり、ＮupおよびＮdnは、静的な値であり得るか、またはスケジュール間隔ごとに変化することがある。ビームステアリングまたは何らかの他の空間処理技法がアクセスポイントおよびユーザ端末において使用され得る。
【００２９】
[0034]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。トランシーバ２５４の各送信機ユニット（ＴＭＴＲ）は、アップリンク信号を生成するために、それぞれの送信シンボルストリームを受信し、処理（たとえば、アナログ変換、増幅、フィルタ処理、および周波数アップコンバート）する。トランシーバ２５４のＮut,m個の送信機ユニットは、Ｎut,m個のアンテナ２５２からアクセスポイントへの送信のためのＮut,m個のアップリンク信号を与える。
【００３０】
[0035]Ｎup個のユーザ端末がアップリンク上の同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３１】
[0036]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をトランシーバ２２２のそれぞれの受信機ユニット（ＲＣＶＲ）に与える。トランシーバ２２２の各受信機ユニットは、ユーザ端末１２０のトランシーバ２５４の送信機ユニット（ＴＭＴＲ）によって実行された処理を補足する処理を実行し、受信シンボルストリームを与える。ＲＸ空間プロセッサ２４０は、トランシーバ２２２のＮap個の受信機ユニットからのＮap個の受信シンボルストリームに対して受信機空間処理を実行し、Ｎup個の復元アップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。
【００３２】
[0037]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明されるプリコーディングまたはビームフォーミングなどの）空間処理を実行し、Ｎap個の送信シンボルストリームをＮap個のアンテナに与える。トランシーバ２２２の各送信機ユニットは、ダウンリンク信号を生成するために、それぞれの送信シンボルストリームを受信し、処理する。Ｎap個のアンテナ２２４からユーザ端末への送信のためのＮap個のダウンリンク信号を与えるトランシーバ２２２のＮap個の送信機ユニット。
【００３３】
[0038]各ユーザ端末１２０において、Ｎut,m個のアンテナ２５２はアクセスポイント１１０からＮap個のダウンリンク信号を受信する。トランシーバ２５４の各受信機ユニットは、関連するアンテナ２５２からの受信信号を処理し、受信シンボルストリームを与える。ＲＸ空間プロセッサ２６０は、トランシーバ２５４のＮut,m個の受信機ユニットからのＮut,m個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。
【００３４】
[0039]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈdn,mに基づいてユーザ端末の空間フィルタ行列を導出する。コントローラ２３０は、有効アップリンクチャネル応答行列Ｈup,effに基づいてアクセスポイントの空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００３５】
[0040]図３は、ＭＩＭＯシステム１００内で採用され得るワイヤレスデバイス３０２において利用され得る様々な構成要素を示している。ワイヤレスデバイス３０２は、本明細書で説明される様々な方法を実装するように構成され得るデバイスの一例である。ワイヤレスデバイス３０２はアクセスポイント１１０またはユーザ端末１２０であり得る。
【００３６】
[0041]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明される方法を実装するために実行可能であり得る。
【００３７】
[0042]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００３８】
[0043]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００３９】
[0044]ワイヤレスデバイス３０２の様々な構成要素は、データバスに加えて、電力バスと、制御信号バスと、ステータス信号バスとを含み得る、バスシステム３２２によって互いに結合され得る。
【００４０】
[0045]いくつかのワイヤレスシステムでは、ワイヤレス通信のための１次チャネルのロケーションを決定するための方法およびフレームワークは柔軟性がない。たとえば、国内において、１次チャネルは、（たとえば、国チャネライゼーションによって定義された）単一の開始周波数（starting frequency）に結び付けられ得る。たとえば、８０２．１１ａｃシステムでは、１次チャネルロケーションは、８０２．１１ａｃワイヤレス規格のセクション２２．３．１４チャネライゼーションにおける式によって決定され得る（たとえば、式２２−１０２はチャネル中心周波数を決定し、式２２−１０３は１次２０ＭＨｚチャネル中心周波数を決定する）。１次チャネルロケーション計算のために使用されるパラメータ／値は、国要素（８０２．１１ａｃワイヤレス規格のセクション８．４．２．１０）およびＶＨＴ動作要素（８０２．１１ａｃワイヤレス規格のセクション８．４．２．１６１）から取得され得る。
【００４１】
[0046]１次チャネルの物理的ロケーションは、アネックスＥの表に含まれている国固有のパラメータを使用する、８０２．１１ａｃワイヤレス規格のセクション２４．３．１３チャネライゼーションにおける式によって決定され得る。国情報は（８０２．１１ａｃワイヤレス規格のセクション８．４．２．１０に記載されている）国要素から取得され得る。したがって、国コードを知ることは、デバイスが１次チャネルロケーションを計算するための開始キャリア周波数を知ることを可能にする。さらに、この技法は、８０２．１１ａｃワイヤレス規格のセクション８．４．２．１７０ｗ  Ｓ１Ｇ動作要素に記載されている情報要素（ＩＥ）によってシグナリングされるパラメータを使用し得る。たとえば、チャネル幅および１次チャネル番号は、デバイスが、最終２ＭＨｚ１次チャネルロケーションを取得するために、開始キャリア周波数に関するオフセットを計算することを可能にする。
【００４２】
[0047]しかしながら、この技法は柔軟性がない。たとえば、それの１次チャネルを決定するデバイスは、１次チャネルロケーションのロケーションを計算するために、国要素中の情報を使用し（それをアネックスＥにおいて指定されているパラメータに一致させ）、さらに、Ｓ１Ｇ動作要素の１次チャネル番号フィールド値を使用することになる。残念ながら、国が複数の帯域を有する場合、アネックスＥ中の表は個別の帯域のために異なる開始周波数を示す必要があり得、これは、１次チャネルロケーションを計算するために使用される式の変更を必要とするか、または可能な周波数範囲をカバーするために１次チャネル番号のための大きいビット幅を必要とすることになる。さらに、国が将来において１１ａｈのための新しい周波数帯域を開くことを決定した場合、現在の式／プロシージャは、（たとえば、帯域が国内の現在の開始周波数の下に開く場合）チャネルロケーションシグナリングに適応することが可能でないことがある。
【００４３】
例示的な１次チャネル決定
[0048]しかしながら、本開示の態様は、たとえば、装置が位置する地理的エリア（たとえば、現在の町、州、または国）から１次チャネル決定を分離することによって、１次チャネル決定におけるある程度の柔軟性を与え得る技法を提供する。
【００４４】
[0049]本明細書で提示される技法は、たとえば、１つまたは複数のフィールドを動作要素（たとえば、サブ１ＧＨｚ「Ｓ１Ｇ」動作要素）に含めることによって、（たとえば、基本サービスセット（ＢＳＳ）帯域幅内の）１次チャネルロケーションをシグナリングおよび計算するための柔軟な方法を提供する。そのようなフィールドは、動作帯域の開始周波数を決定するために使用され得るグローバル動作クラスパラメータなどの動作クラスパラメータ（operating class parameter）と、動作帯域を指定するチャネル幅パラメータと、（たとえば、開始周波数に関する）チャネルオフセットを決定するために使用され得る１次チャネルインデックスパラメータなどのインデックスとを含み得る。
【００４５】
[0050]図４は、本開示のいくつかの態様による、ワイヤレス通信のための１次チャネルを決定するための例示的な動作４００のブロック図を示している。動作４００は、たとえば、任意のタイプのワイヤレスデバイスまたは局（たとえば、ワイヤレスデバイス３０２など）によって実行され得る。
【００４６】
[0051]動作４００は、４０２において、１つまたは複数のパラメータを有する情報要素（ＩＥ）を取得することから開始し得る。たとえば、チャネル幅（たとえば、動作帯域幅）を決定するために使用されるべき第１のパラメータ、ワイヤレス通信のための開始周波数を決定するために使用されるべき第２のパラメータ、および開始周波数に関するオフセットを計算するために使用されるべき第３のパラメータ。いくつかの態様によれば、第２のパラメータは開始周波数にマッピングされ得る。いくつかの態様によれば、第２のパラメータは、チャネル幅を決定するためにも使用され得る。いくつかの態様によれば、パラメータは少なくとも第１の動作クラスパラメータを含み得る。第２の動作クラスパラメータの異なる値は、動作パラメータのセットのための値の異なる組合せにマッピングし得る。動作パラメータのセットは、チャネル開始周波数、チャネル間隔、チャネル中心周波数インデックス、または装置の挙動（behavior）に対する制限の任意の組合せを含み得る。
【００４７】
[0052]４０４において、ワイヤレスデバイスは、（たとえば、チャネル切替えのために）装置によるワイヤレス通信のために使用されるべき１次チャネルロケーションを計算し得、ここにおいて、計算は、１つまたは複数のパラメータと、装置が位置する地理的エリアに依存しない関数とに基づく。たとえば、第３のパラメータはインデックスであり得、関数は、開始周波数と、インデックスおよび周波数定数に基づいて計算されたオフセットとに基づいて、１次チャネルロケーションを決定するために使用され得る。
【００４８】
[0053]本明細書で使用される関数は、１次チャネルロケーションの決定がロケーションから分離されるので、依存しないと説明され得る。言い換えれば、１次チャネルは、デバイスが位置する地理的エリアによって厳密には決定されない。現在、開始周波数は地理的エリアと関連し得るが、本明細書で提示される技法は、デバイスがロケーションを知らずに１次チャネルを決定することを可能にする。
【００４９】
[0054]図５は、本開示の態様による、（たとえば、ワイヤレスデバイス３００などの）デバイスが１次チャネルロケーションを計算するために使用し得る、１つまたは複数のパラメータを有する例示的なＩＥ５００を示している。図示のように、例示的なＩＥ５００は、要素ＩＤフィールド５０２と、長さフィールド５０４と、Ｓ１Ｇ動作情報フィールド５０６と、基本Ｓ１Ｇ−ＭＣＳおよびＮＳＳセットフィールド５０８とを含み得る。いくつかの態様によれば、Ｓ１Ｇ動作情報フィールド５０６は、グローバル動作クラスサブフィールド５１０（たとえば、２オクテット）および１次チャネルインデックスサブフィールド５１２（たとえば、１オクテット）というサブフィールドを含み得る。グローバル動作クラスサブフィールド５１０の値は、たとえば、開始周波数、チャネル幅を含む、動作パラメータのセットを指定し得る（チャネル中心周波数インデックスおよび挙動制限セットなど、８０２．１１ａｃワイヤレス規格の表Ｅ−４からの何らかの定義が再利用され得る）。１次チャネルインデックスサブフィールド５１２は、１次２ＭＨｚチャネルが存在することになる開始周波数に関する周波数オフセットを計算するためにデバイスによって使用され得る。
【００５０】
[0055]いくつかの態様によれば、１次チャネルロケーションの計算においてグローバル動作クラスサブフィールド５１０と１次チャネルインデックスサブフィールド５１２とを使用する関数は、以下の通りであり得る。
１次チャネルロケーション＝ｆ（グローバル動作クラス）＋（５００ＫＨｚ＊１次チャネルインデックス）
上式で、ｆ（）は、グローバル動作クラスサブフィールド５１０の値を開始キャリア周波数にマッピングする関数を表し得る。いくつかの態様によれば、使用されるすべてのパラメータがグローバル動作クラス値から決定され得るので、国要素からの情報は、もはや１次チャネルロケーションの計算のために使用されないことがある。
【００５１】
[0056]場合によっては、異なる国は、それらの動作パラメータが周波数帯域内で整合する場合に、同じグローバル動作クラス値を使用し得る。さらに、ある国は複数のグローバル動作クラスをさらにサポートすることができる。一例として、国は、潜在的に異なる動作制限（たとえば送信電力）をもつ、異なる開始キャリア周波数における複数の帯域を有し得る。
【００５２】
[0057]図６は、本開示の態様による、デバイスが１次チャネルロケーションを計算するために使用し得る、１つまたは複数のパラメータを有する別の例示的なＩＥ６００を示している。ＩＥ６００はＩＥ５００と同じフィールドを含み得るが、この例では、Ｓ１Ｇ動作情報フィールド６０６は、グローバル動作クラスサブフィールド５１０の代わりにＳ１Ｇ動作クラスサブフィールド６１４を含み得る。グローバル動作クラスサブフィールド５１０は、異なる８０２．１１ワイヤレス規格にわたって使用されるいわゆる「レガシー」パラメータであり得、追加のオーバーヘッドを伴うことがある。たとえば、図５に示されているように、グローバル動作クラスサブフィールド５１０は、シグナリングするために２オクテットまたはそれ以上のオクテットを使用し得るが、図６に示されているように、Ｓ１Ｇ動作クラスサブフィールド６１４は、シグナリングするために１オクテットのみを使用し得る。Ｓ１Ｇ動作クラスサブフィールド６１４は、グローバル動作クラスサブフィールド５１０と同じ情報（たとえば、開始周波数、チャネル間隔など）であるが、８０２．１１ａｈワイヤレス規格に固有の情報を搬送し得る。この手法は、このパラメータを搬送するフィールドのサイズを低減し得る。たとえば、図５に示されているように、Ｓ１Ｇ動作情報フィールド５０６は、２オクテットのグローバル動作クラスサブフィールド５１０と１オクテットの１次チャネルインデックスサブフィールド５１２とを搬送するために３オクテットであるが、図６に示されているように、Ｓ１Ｇ動作情報フィールド６０６は、１オクテットのＳ１Ｇ動作クラスサブフィールド６１４と１オクテットの１次チャネルインデックスサブフィールド５１２とを搬送するために２オクテットである。
【００５３】
[0058]図７は、本開示の態様による、デバイスが１次チャネルロケーションを計算するために使用し得る、１つまたは複数のパラメータを有する別の例示的なＩＥ７００を示している。図示のように、例示的なＩＥ７００は例示的なＩＥ６００と同じフィールドを含み得る。しかしながら、この場合、（「動作クラス」フィールドと呼ばれることもある）Ｓ１Ｇ動作クラスサブフィールド６１４。代わりに、たとえば、Ｓ１Ｇ動作情報フィールド７０６の別個のチャネル幅サブフィールド７１６を用いて、動作の信号帯域幅がシグナリングされ得る。さらに、いくつかの態様によれば、Ｓ１Ｇ動作クラスサブフィールド６１４は可変長（たとえば、１オクテットまたは２オクテット）フィールドであり得る。１次チャネルインデックスサブフィールド５１２は「１次チャネル番号」と呼ばれることもある。この例示的な実装形態では、１次チャネルロケーションの計算はまた、チャネル幅サブフィールド７１６中で示される動作帯域の関数であり得る。
【００５４】
[0059]本明細書で使用される「決定すること」という用語は、多種多様なアクションを包含する。たとえば、「決定すること」は、計算すること（calculating）、計算すること（computing）、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００５５】
[0060]本明細書で使用される、項目のリスト「のうちの少なくとも１つ」を指す句は、単一のメンバーなどのそれらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序を包含するものとする。
【００５６】
[0061]本明細書で開示された方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００５７】
[0062]上記で説明された方法の様々な動作は、対応する機能を実行することが可能な任意の好適な手段によって実行され得る。それらの手段は、限定はされないが、回路、特定用途向け集積回路（ＡＳＩＣ）、またはプロセッサなどの様々な（１つまたは複数の）ハードウェアおよび／またはソフトウェア構成要素および／またはモジュールを含み得る。概して、図に示された動作がある場合、それらの動作は、同様の番号を有する対応するカウンターパートのミーンズプラスファンクション構成要素を有し得る。たとえば、図４に示された動作４００は、図４Ａに示された手段４００Ａに対応する。たとえば、ワイヤレスシステムのための１次チャネルを決定するための手段は、１つまたは複数のパラメータを有する情報要素（ＩＥ）を取得するための手段４０２Ａと、ワイヤレス通信のために使用されるべき１次チャネルロケーションを計算するための手段４０４Ａと、ここにおいて、計算は、１つまたは複数のパラメータと、装置が位置する地理的エリアに依存しない関数とに基づく、を含み得る。
【００５８】
[0063]たとえば、送信するための手段は、図２に示されたアクセスポイント１１０の送信機（たとえば、トランシーバ２２２の送信機ユニット）および／または（１つまたは複数の）アンテナ２２４、または図３に示された送信機３１０および／または（１つまたは複数の）アンテナ３１６を備え得る。受信するための手段は、図２に示されたアクセスポイント１１０の受信機（たとえば、トランシーバ２２２の受信機ユニット）および／または（１つまたは複数の）アンテナ２２４、または図３に示された受信機３１２および／または（１つまたは複数の）アンテナ３１６を備え得る。
【００５９】
[0064]処理するための手段、決定するための手段、生成するための手段、出力するための手段、計算するための手段、および／または取得するための手段は、図２に示されたアクセスポイント１１０のＲＸデータプロセッサ２４２、ＴＸデータプロセッサ２１０、および／またはコントローラ２３０、または図３に描かれたプロセッサ３０４および／またはＤＳＰ３２０などの１つまたは複数のプロセッサを含み得る、処理システムを備え得る。
【００６０】
[0065]いくつかの態様によれば、そのような手段は、（たとえば、ハードウェアでまたはソフトウェア命令を実行することによって）様々なアルゴリズムを実装することによって、対応する機能を実行するように構成された処理システムによって実装され得る。たとえば、１次チャネルを決定するためのアルゴリズムは、入力として、１つまたは複数のパラメータを有する情報要素（ＩＥ）と、ワイヤレス通信のために使用されるべき１次チャネルロケーションを計算するためのアルゴリズムと、ここにおいて、計算は、１つまたは複数のパラメータと、装置が位置する地理的エリアに依存しない関数とに基づく、をとり得る。
【００６１】
[0066]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６２】
[0067]本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００６３】
[0068]説明された機能は、ハードウェア、ソフトウェア、ファームウェア、またはそれらの任意の組合せで実装され得る。ハードウェアで実装された場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明されない。
【００６４】
[0069]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００６５】
[0070]ハードウェア実装形態では、機械可読媒体は、プロセッサとは別個の処理システムの一部であり得る。しかしながら、当業者なら容易に諒解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【００６６】
[0071]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとを備える汎用処理システムとして構成され得る。代替的に、処理システムは、プロセッサを備えるＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明された様々な機能を実行することができる回路の任意の組合せを用いて、実装され得る。当業者は、特定の適用例と、全体的なシステムに課される全体的な設計制約とに応じて、どのようにしたら処理システムについて説明された機能を最も良く実装することができるかを認識されよう。
【００６７】
[0072]機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００６８】
[0073]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００６９】
[0074]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。たとえば、コンピュータ可読媒体は、１つまたは複数のパラメータを有する情報要素（ＩＥ）を取得するためのその上に記憶された命令と、ワイヤレス通信のために使用されるべき１次チャネルロケーションを計算するためのその上に記憶された命令と、ここにおいて、計算は、１つまたは複数のパラメータと、装置が位置する地理的エリアに依存しない関数とに基づく、を有し得る。いくつかの態様では、コンピュータプログラム製品はパッケージング材料を含み得る。
【００７０】
[0075]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明された方法および技法をデバイスに提供するための任意の他の好適な技法が利用され得る。
【００７１】
[0076]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
【図１】
2016535497.tif 000003
【図２】
2016535497.tif 000004
【図３】
2016535497.tif 000005
【図４】
2016535497.tif 000006
【図４Ａ】
2016535497.tif 000007
【図５】
2016535497.tif 000008
【図６】
2016535497.tif 000009
【図７】
2016535497.tif 000010
【国際調査報告】
2016535497.tif 000011
2016535497.tif 000012
2016535497.tif 000013